(57)【要約】現存している、コイルばねを使用した弾性度可変型トランポリンに比べて小さい寸法にかつ低い高さに製造することのできる、板ばねを使用し、それによって使用者に安定性がもたらされる弾性度可変型トランポリンが開示されている。また、このトランポリンには機械的構造が備わっており、それによって、半永久的な寿命がもたらされている。運動の第３法則を用いるてこの原理によって、とりわけ、板ばねが作動時に滑らかに作用を行い、かつ、使用者の跳躍動作で反作用を行い、その結果、本発明のトランポリンには強い弾性度が蓄えられる。しかも、板ばねにおける板ばね支持用可動スタンドがてこの原理に従う簡単な方法で移動し、それによって、板ばねの弾性度を調整することができる。作用点動作ボルトの上方および下方への移動を調節することで、上方および下方への移動の高さを調節することができる。特に、踏板は、踏板を水平に維持するための連結用可動部材の採用によって、上方および下方へ移動する際に水平状態に維持され、さらに、踏板にベアリングシートが形成されている結果、踏板はひねり運動を行うことができる。
2004520086.tif 000002
【特許請求の範囲】
【請求項１】
踏板を水平に維持するための踏板連結用可動部材および連結用可動部材の両方の端部にナックルピンによって連結された固定板および踏板と、
作用点作動ボルトによって作動される板ばねと、
移動させるためのねじ部が備わっている水平移動用シャフトの回転によって移動される板ばね支持用可動スタンドとを備えてなり、
それによって、前記板ばねの弾性度を調整することができ、かつ、前記作用点作動ボルトによる長さ調節で上方および下方への移動距離を調節することができる、板ばねを使用した弾性度可変型トランポリン。
【請求項２】
前記踏板連結用可動部材だけが、前記ナックルピンによって前記固定板に連結され、かつ、前記踏板連結用可動部材が、前記踏板にその他方端部で一体状に連結されている請求項１に記載のトランポリン。
【請求項３】
前記踏板連結用可動部材に一体状に形成されている前記作用点作動ボルトが、前記板ばねの弾性力と前記踏板の作動とが滑らかになるように、ローラーの連結されている平坦板の上で作動する請求項１または２に記載のトランポリン。
【発明の詳細な説明】
【０００１】
（技術分野）
本発明は、板ばねを使用した弾性度可変型トランポリンに関するものである。
【０００２】
（背景技術）
これまでに開発されたトランポリンでは、複数のコイルばねが鉄製の枠に連結されるようにして作動するため、トランポリンは比較的大きい面積を占めている。さらにまた、このようなトランポリンでは、その弾性度はコイルばねを取り付けたり取り外したりすることによってだけ調整することができる。このようなトランポリンは布地によって形成されているため、使用者が水平状態を維持するのは難しく、また、トランポリンの特性の点からハンドルグリップを組み込むことも難しく、そのため、使用者に安定性がもたらされない。さらに、複数のコイルばねどうしが摩擦するときに、ゆゆしい騒音が引き起こされる。これらの問題があるため、使用者に安定性と便利さとをもたらすことのできる新規な小型トランポリンに対する要望が存在している。
【０００３】
（発明の開示）
本発明の１つの目的は、運動の第３法則としての作用反作用の法則に従って、作用時にはてこの原理によって作動し、反作用時には一度に弾性力を発揮する、てこの原理が採用されている板ばねを使い、それによって小さい力を加えるだけで強い弾性力を作り出し、作動距離に対して高さが比較的低く、地表面の高さに位置する踏板をもたらし、それによって使用の安定性が可能になり、比較的小さい面積を占め、必要に応じて利用可能な弾性度を調整し、必要に応じて移動高さ（作動距離）を調節し、騒音を生じることがなく、その結果、室内スポーツ用品として満足すべきものであり、低い製造コストで製造することができ、さらに、長期間にわたって半永久的に使うことができる弾性度可変型トランポリンを提供することにある。
【０００４】
本発明の前記目的を達成するために、踏板を水平に維持するための踏板連結用可動部材および連結用可動部材の両方の端部にナックルピンによって連結された固定板および踏板と、作用点作動ボルトによって作動される板ばねと、移動させるためのねじ部が備わっている水平移動用シャフトの回転によって移動される板ばね支持用可動スタンドとを含み、それによって、板ばねの弾性度を調整することができ、かつ、作用点作動ボルトによる長さ調節で上方および下方への移動距離を調整することができる、板ばねを使用した弾性度可変型トランポリンが提供されている。
【０００５】
本発明のさらに別の目的および利点は、添付図面と併せて行われた以下の詳細な説明から、いっそう充分に理解することができる。
【０００６】
（発明を実施するための最良の形態）
本発明によれば、図１および図２に示されたように、板ばねが使われている弾性度可変型トランポリンは、踏板１４が、踏板１４を水平に維持するための踏板連結用可動部材１６および連結用可動部材１５で、ナックルピン４によって固定板５の上端部に連結され、その結果、踏板１４が上方および下方へ作動することができるように、構成されている。従って、踏板１４は、作用点作動ボルト１７によって、小さい力を加えるだけでてこの原理により作動する。さらにまた、板ばね１１には、板ばね支持用可動スタンド７の移動に基づいた、てこの原理が採用されている。この結果、てこの原理は、本発明に係る弾性度可変型トランポリンにおいて２回、具体化されている。それによって、本発明のトランポリンは運動の第３法則に従って作動する。
【０００７】
板ばね１１は、水平移動用シャフト８のためのホルダー９によって、一方端部で固定されており、作用点作動ボルト１７の作動力に基づいて上方および下方へ作動する。また、板ばね支持用可動スタンド７が水平移動用シャフト８のねじ部を移動し、それによって、てこの支点が移動する効果がもたらされる。従って、力の作用度は作動距離に比例して変わり、板ばね１１に備わっている弾性力を調整することができる。上方および下方への移動距離は作用点作動ボルト１７の回転によって調節されるので、踏板１４の上方および下方への移動距離は調節することができる。作用点作動ボルト１７のピンの周りにおける摩擦を除くために、作用点作動ボルト１７の中にボールベアリングが挿入されている。踏板１４を水平に維持するための連結用可動部材１５は、この可動部材と、踏板１４および固定板５についてのナックルピン４とによって、踏板１４を水平にした状態で作動することができる。
【０００８】
前記したような構成に基づいて、本発明のトランポリンにおける作動および効果の説明が以下に検討される。スタンド７を移動させるためのねじ部で水平移動用シャフト８に連結されている回転式ハンドルグリップ１０が左右に回転すると、その結果、板ばね支持用可動スタンド７は所定箇所に位置決めされ、それによって、利用可能な弾性力を決定することができる。作用点作動ボルト１７が左右に回転すると、その長さが調節されるので、移動の高さが調節される。このような状態において、使用者が踏板１４に乗ってそれを踏み付けると、作用点作動ボルト１７によって板ばね１１が下げられる結果、踏板１４に連結された踏板連結用可動部材１６に力が加わる。作動弾性が限界に達すると、踏板１４は板ばね１１の強い復元力の作用によって上がり、その結果、使用者は弾性的に跳躍することができる。このとき、板ばね支持用可動スタンド７の位置と作用点作動ボルト１７の作動位置とによって繰り返し採用されたてこの原理が、互いへの複合関係により板ばね１１の弾性で用いられるので、小さい力を加えるだけで板ばね１１からの実質的に強い弾性力を示すことができる。また、踏板１４の回転が、踏板固定部材１２に配置されたベアリングシートによって作り出される。
【０００９】
本発明の別の実施形態に係る、板ばねを使用した弾性度可変型トランポリンが示されている図３によれば、踏板連結用可動部材１６だけがナックルピン４によって固定板５に連結されており、また、その踏板連結用可動部材１６は、他方端部で踏板１４に一体状に連結されている。
【００１０】
本発明のさらに別の実施形態に係る、板ばねを使用した弾性度可変型トランポリンが示されている図４および図５によれば、ローラー２０が平坦板１９に連結されており、踏板連結用可動部材１６と一体状に形成された作用点作動ボルト１７は、板ばね１１の弾性力と踏板１４の作動とが滑らかになるように、平坦板１９の上で作動する。
【００１１】
（産業上の利用性）
これまでに説明したように、本発明の好適な実施形態に係る、板ばねを使用した弾性度可変型トランポリンは、てこの原理の二重採用によって作動し、板ばねの弾性力を利用し、それによって優れた弾性度を示し、その結果、作動に際して使用者に強い跳躍力をもたらす。しかも、本発明のトランポリンによれば、その弾性度と上方および下方への移動の幅とを調整することができる。さらにまた、本発明のトランポリンによれば、上方および下方への移動の際に踏板を水平状態に維持することができ、また、踏板の高さが作動距離に比べて実質的に低く、それによって使用者に安定性がもたらされる。さらに、本発明のトランポリンは、移動しやすいように小さい寸法に製造されており、また、価格面での競争力があるように低い製造コストで製造されている。これまでの説明に基づけば、本発明のトランポリンは優れた効果を備える室内スポーツ用品であることがわかる。
【図面の簡単な説明】
【図１】
図１は、本発明の１つの実施形態に係る、板ばねを使用した弾性度可変型トランポリンの斜視図である。
【図２】
図２は、本発明の弾性度可変型トランポリンの断面図である。
【図３】
図３は、本発明の別の実施形態に係る弾性度可変型トランポリンの断面図である。
【図４】
図４は、本発明の別の実施形態に係る弾性度可変型トランポリンの断面図である。
【図５】
図５は、本発明の別の実施形態に係る弾性度可変型トランポリンの断面図である。
【図１】
2004520086.tif 000003
【図２】
2004520086.tif 000004
【図３】
2004520086.tif 000005
【図４】
2004520086.tif 000006
【図５】
2004520086.tif 000007
【国際公開パンフレット】
2004520086.tif 000008
2004520086.tif 000009
2004520086.tif 000010
2004520086.tif 000011
2004520086.tif 000012
2004520086.tif 000013
2004520086.tif 000014
2004520086.tif 000015
2004520086.tif 000016
2004520086.tif 000017
2004520086.tif 000018
2004520086.tif 000019
【国際調査報告】
2004520086.tif 000020